(57)【特許請求の範囲】
【請求項１】
電池パック収納領域を有する皿形の第１のケース本体と、
前記第１のケース本体の一端側に内装・配置され、電子装置の一対の保持溝に係合して電池パックを保持する一対のロックバーおよびこのロックバーと一体に形成され、前記保持溝に対するロックバーの係合を引き離すロック解除レバーを有するロックレバーと、
断面が略Ｕ字の形状を成し、一端側が前記ロック解除レバーに固着され、他端側が前記第１のケース本体内に植設した壁面に当接して配置されて、前記ロックレバーを付勢する弾性部材片と、
前記第１のケース本体に付設され、前記弾性部材片の位置・方向振れを防止する弾性部材片規制部と、
前記第１のケース本体の開口端面部に嵌合して電池パック収納部を形成するとともに、前記ロックレバーをガイドするガイド面を有する皿形の第２のケース本体と
を備え、
前記ロックレバーは、前記弾性部材片の付勢によって、前記ロックバーの前記保持溝に対する係合を保持し、前記ロック解除レバーを前記付勢と反対方向に移動することにより、前記保持溝に対する前記ロックバーの係合を外すようにしたことを特徴とする保持装置付き電池パックケース。
【請求項２】
前記ロックレバーの複数箇所に設けた前記ロックレバーの移動方向に平行な溝と、
前記第１のケース本体内に植設した壁面に前記ロックレバーの溝に係合するように配置されたロックレバー規制部と
を有することを特徴とする請求項１記載の保持装置付き電池パックケース。
【請求項３】
前記第１のケース本体および第２のケース本体は、前記ロックレバーの導出端面部で、かつ前記ロックレバー両側に、電子装置の装着面に対応した一対の係合部を設けてなることを特徴とする請求項１または２記載の保持装置付き電池パックケース。
【発明の詳細な説明】
【０００１】
【発明の属する技術分野】
本発明は、保持装置付き電池パックケースに係り、さらに詳しくは電子装置に対して、着脱可能な保持装置付き電池パックケースに関する。
【０００２】
【従来の技術】
たとえば携帯電話などの電子装置に装着される電池パックは、図６に要部を断面的に示す構成が採られている。図６において、１は電池収納領域を有する皿形の第１のケース本体、２は前記第１のケース本体１の開口端面部に嵌合して電池パック収納部を形成する皿形の第２のケース本体、３は電池パック保持部（電池パック保持装置）である。ここで、電池パック保持部３は、電子装置に対する係止部３ａおよび板バネ３ｂを介して第１のケース本体１に結合された操作部３ｃで構成されている。
【０００３】
なお、前記板バネ３ｂは、疲労による変形の少ない断面Ｕ字形に形成されており、その一端が第１のケース本体１および第２のケース本体２の嵌合・接合面間に圧着固定され、他端側に係止部３ａおよび操作部３ｃが固定されている。
【０００４】
この電池パックケースの場合は、点線で示すように、板バネ３ｂの弾力を利用して電子装置に対するロック機能を持たせ、操作部３ｃを操作することにより係止部３ａを電子装置の保持溝に嵌め込みまたは外す動作を行って、電子装置に対して電池パックを着脱自在に装着している。
【０００５】
上記電子装置に対する電池パックの保持機構では、操作部３ｃの操作繰り返しに伴う板バネ３ｂの変形、または両ケース本体１，２の嵌合・接合面間での圧着・固定力による板バネ３ｂの保持力の変化が見られ、電子装置に対する電池パックの装着を確実に維持することが難しい場合がある。
【０００６】
このような問題に対して、図７に斜視的に要部構成を示す電池パック用の保持機構が開発されている。すなわち、電子装置の保持溝に対して係合して電池パックを保持するロックバー４ａ、このロックバー４ａと一体に形成されロックバー４ａを保持溝との係合から引き離すロック解除レバー４ｂおよび回動可能とする回転軸４ｃを有し、かつ電池パック本体とは別体を成すロックレバー４と、前記ロックレバー４とは別体に形成され、かつ前記ロックバー４ａを電子装置の保持溝に対して付勢するように装着された付勢バネ（図示省略）とを備えた構成が知られている
（特開平８−１０６８９０号公報）。
【０００７】
そして、この電池パック用の保持機構は、付勢バネの付勢によって電子装置の保持溝に対するロックバー４ａの係合を保持し、ロック解除レバー４ｂを付勢バネの付勢と反対方向に移動することにより、前記保持溝に対するロックバー４ａの係合を外すようになっている。
【０００８】
【発明か解決しようとする課題】
しかしながら、上記電池パック用の保持機構の場合は、ロックレバー４の構造が複雑で、製造が繁雑である一方、歩留まりの点などにも問題がある。また、ロックレバー４の操作、すなわち  （ａ）電子装置の保持溝に対するロックバー４ａの係合・保持、  （ｂ）電子装置の保持溝に対するロックバー４ａの係合・解除は、軸支された回転軸４ｃの一定範囲内での回動によって行われる。したがって、回転軸４ｃは一定の外周面が摩擦することになり、同心円的な摩耗が事実上困難であるため、軸支にガタツキなどが生じ易いという不都合が懸念される。ここで、円滑な軸支・回動性が損なわれることは、結果的に、ロックレバー４ないしロックバー４ａの操作振れなど招来することを意味し、電子装置の保持溝に対する保持・固定の信頼性が低下することになる。
【０００９】
本発明は、上記事情に対処してなされたもので、電子装置の保持溝に対して信頼性の高い保持・固定が可能な、保持装置付き電池パックケースの提供を目的とする。
【００１０】
【課題を解決するための手段】
請求項１の発明は、電池パック収納領域を有する皿形の第１のケース本体と、前記第１のケース本体の一端側に内装・配置され、電子装置の一対の保持溝に係合して電池パックを保持する一対のロックバーおよびこのロックバーと一体に形成され、前記保持溝に対するロックバーの係合を引き離すロック解除レバーを有するロックレバーと、断面が略Ｕ字の形状を成し、一端側が前記ロック解除レバーに固着され、他端側が前記第１のケース本体内に植設した壁面に当接して配置されて、前記ロックレバーを付勢する弾性部材片と、前記第１のケース本体に付設され、前記弾性部材片の位置・方向振れを防止する弾性部材片規制部と、前記第１のケース本体の開口端面部に嵌合して電池パック収納部を形成するとともに、前記ロックレバーをガイドするガイド面を有する皿形の第２のケース本体とを備え、前記ロックレバーは、前記弾性部材片の付勢によって、前記ロックバーの前記保持溝に対する係合を保持し、前記ロック解除レバーを前記付勢と反対方向に移動することにより、前記保持溝に対する前記ロックバーの係合を外すようにしたことを特徴とする保持装置付き電池パックケースである。
【００１１】
請求項２の発明は、請求項１記載の保持装置付き電池パックケースにおいて、前記ロックレバーの複数箇所に設けた前記ロックレバーの移動方向に平行な溝と、前記第１のケース本体内に植設した壁面に前記ロックレバーの溝に係合するように配置されたロックレバー規制部とを有することを特徴とする。
【００１２】
請求項３の発明は、請求項１または請求項２記載の保持装置付き電池パックケースにおいて、前記第１のケース本体および第２のケース本体は、前記ロックレバーの導出端面部で、かつ前記ロックレバー両側に、電子装置の装着面に対応した一対の係合部を設けてなることを特徴とする。
【００１４】
本発明において、第１のケース本体および第２のケース本体は、互いの開口部側を嵌合的に組み合わせることにより、電池本体を収納（内蔵）する電池パック用の容器を形成するものであり、全体的にはほぼ長方形の薄い箱型を形成している。また、適度の機械的な強度や保護機能、耐久性や絶縁性、加工性などの点から、一般的には、たとえばポリカーボネート樹脂など合成樹脂で皿形に作成されている。なお、電池パック用の容器化したとき、内蔵する電池の外部接続端子を取り出す端子取り出し部を有するとともに、電子装置に装着し易いように面取りやスライド用の溝形設成など行われる。
【００１５】
また、第１のケース本体および第２のケース本体は、端子取り出し部とは反対側の端部に、ロックレバーを装着・配置する領域を区画する仕切り壁（側壁）が植設されており、この仕切り壁の一部によって、ロックレバーを付勢する弾性部材片（たとえば断面Ｕ字形）が当接・保持構成などが採られる。
【００１６】
本発明において、ロックレバーは第１のケース本体および第２のケース本体とは別の部材（別個の部品）を成しており、また、このロックレバーのロックバーおよびロック解除レバーは、たとえば合成樹脂の射出モールド成型法などによって、一体的に形成されている。ここで、ロックバーおよびロック解除レバーは、一方向に相互に位置がずれた状態に延設し、ロック解除レバーの操作を行い易くすることが好ましい。
【００１７】
本発明において、電子装置の保持溝に対するロックレバーの係合保持、あるいは保持溝に対するロックバーの係合外しを付勢によって行う弾性部材片は、上記のように、一般的には断面Ｕ字形であり、疲労による変形など起こさない材質製が望ましい。
【００１８】
請求項１の発明では、比較的簡略な構成を採る一方、ロックレバーは弾性部材片の付勢によって、かつ回転軸の回動によらず第２のケース本体のガイド面を円滑に摺動する。また、弾性部材片の付勢によるロックレバーの摺動に当たっては、付勢に寄与する弾性部材片が弾性部材片規制部によって規制・制御されるため、前記ガイド面の円滑な摺動と相俟って、ロックレバーの位置ずれなどが起こる恐れも解消され、確実な装着保持が実現される。
【００１９】
また、弾性部材片は断面略Ｕ字形の板ばねで、一端側がロックレバーのロック解除レバーに一体化し、他端側が第１のケース本体内に植設した壁面に当接して配置されているため、構造の簡略化および装着保持の信頼性が向上する。
【００２０】
請求項２の発明では、ロックレバー規制部が第１のケース本体内に植設した壁面に、ロックレバーに設けた溝部に係合するように配置されているため、構造の簡略化および装着保持の信頼性が向上する。
【００２１】
請求項３の発明では、第１のケース本体および第２のケース本体は、ロックレバーの導出端面部で、かつロックレバー両側に電子装置の装着面に対応した一対の係合部を設けてあるため、電子装置に対する装着・保持が容易、かつより適切に行うことが可能となる。
【００２２】
【発明の実施の形態】
以下、図１ないし図５を参照して実施例を説明する。
【００２３】
図１は保持装置付き電池パックケースの正面図、図２は保持装置付き電池パックケースの上面図、図３は第１のケース本体の保持装置部の構成を示す内側上面図、図４は付設したロックレバーの構成を示す斜視図、図５は第２のケース本体の保持装置部の構成を示す内側上面図である。
【００２４】
図１，図２，図３，図４および図５において、５は電池パック収納領域６を有する皿形の第１のケース本体、７は前記第１のケース本体５の、一端側の区画された領域5aに内装・配置され、かつ一部が露出（突出）したロックレバー、８は前記ロックレバー７に付設され、ロックレバー７を付勢する弾性部材片である。ここで、ロックレバー７は電子装置（図示省略）の一対の保持溝に対し係合して電池パックを保持する一対のロックバー7aおよびこのロックバー7aと一体に形成され、前記保持溝に対するロックバー7aの係合を引き離すロック解除レバー7bとを有する構造と成っている。そして、ロックレバー７は、前記区画された領域5aの側壁5bが幅方向のストッパーとして機能する。また、弾性部材片８は断面Ｕ字形の板ばねであり、一端側がロックレバー７に固定され、他端側が第１のケース本体５の区画された領域5aの側壁5c面に当接して配置され、かつその先端部8aがロック解除レバー7b側に曲げられ、ロックレバー７の動作時、周辺部に支障を起こさないようになっている。
【００２５】
さらに、９は前記第１のケース本体５に付設され、前記ロックレバー７の位置・方向振れを防止するロックレバー規制部、１０は前記第１のケース本体５の開口端面部に嵌合して電池パック収納部を形成するとともに、前記ロックレバー７をガイドするガイド面  １０ａを有する皿形の第２のケース本体である。
【００２６】
ここで、ロックレバー規制部９は、第１のケース本体５の区画された領域5aの側壁5c面に一体的に配設されており、ロックレバー７にその移動方向に平行して設けられている溝部12に係合する。そして、前記第１のケース本体５の区画された領域5a（側壁5b，5cで形成）およびロックレバー規制部９の一体的な配設は、一般的に、第１のケース本体５の射出モールド成型で同時に行われる。なお、図において、5d， 10bは係合用突起部、5eは電子装置に対するガイド部、 10cは電子装置に対する他方の係止部である。
【００２７】
上記構成の保持装置付き電池パックは、前記断面Ｕ字形の板ばね８の付勢によって、電子装置の保持溝に対するロックバー７ａの係合を保持し、前記ロック解除レバー７ｂを前記付勢と反対方向に移動することにより、保持溝に対するロックバー７ａの係合が外される。すなわち、断面Ｕ字形の板ばね８の付勢の利用と、付勢に抗するロック解除レバー７ｂの操作と、前記操作におけるガイド  １０ａを介した円滑なロックレバー７の摺動によって、電子装置に対する電池パックの着脱を容易に、かつ自在に行われる構造となっている。
【００２８】
そして、前記ロックレバー７の円滑な摺動、ロックレバー規制部９によるロックレバー７の位置ずれや振れの回避によって、常時、確実な電池パックの着脱が自在になされる。
【００２９】
なお、上記構成において、第１のケース本体５および第２のケース本体１０のロックレバー７導出端面部に、そのロックレバー７両側に電子装置の装着面に対応した一対の係合部１１（図１参照）を設けることもでき、この場合は、前記電子装置に対する着脱が、さらに安定的に行われる。
【００３０】
本発明は、上記例示の構成に限定されるものでなく、発明の趣旨を逸脱しない範囲でいろいろの変形を採ることができる。すなわち、装着する電子装置に対応し、ケース本体の形状・寸法や材質を、またはロックレバーの形状・寸法や材質を任意に選ぶことができる。
【００３１】
【発明の効果】
本発明によれば、構成が比較的簡略で量産的であるとともに、ロックレバーの安定した円滑な摺動動作によって、電子装置に対し長期間に亘って確実に装着保持できる電池パックケースが提供される。
【００３２】
また、本発明によれば、構成が比較的簡略で量産的であるとともに、ロックレバーの安定した円滑な摺動動作によって、電子装置に対し、より容易に、かつ確実に装着保持できる電池パックケースが提供される。
【図面の簡単な説明】
【図１】保持装置付き電池パックケース例の正面図。
【図２】保持装置付き電池パックケース例の上面図。
【図３】第１のケース本体の保持装置部の内側要部構成を示す上面図。
【図４】ロックレバーの構成例を示す斜視図。
【図５】第２のケース本体の保持装置部の内側要部構成を示す上面図。
【図６】従来の保持装置付き電池パックケースの保持装置部を示す断面図。
【図７】従来の保持装置付き電池パックケースの他の保持装置部を示す斜視図。
【符号の説明】
５……第１のケース本体
5a……第１のケース本体内の区画された領域
5b，5c……側壁
６……電池収納部
７……ロックレバー
7a……ロックバー
7b……ロック解除レバー
８……弾性部材片（断面Ｕ字型の板ばね）
９……ロックレバー規制部
10……第２のケース本体
10a……ガイド面
11……係合部
12……ロックレバー溝
【図１】
0003558483.tif 000002
【図２】
0003558483.tif 000003
【図３】
0003558483.tif 000004
【図４】
0003558483.tif 000005
【図５】
0003558483.tif 000006
【図６】
0003558483.tif 000007
【図７】
0003558483.tif 000008